(57)【特許請求の範囲】
【請求項１】
設備に設けられ、ロック機構および第一の信号線並びに上記第一の信号線に接続するための第一の接触子を有する錠コネクタ、上記設備にアクセスするケーブルの端部に設けられ、上記ケーブルに繋がる第二の信号線および上記第二の信号線に接続するための第二の接触子を有し、上記錠コネクタに嵌合する鍵コネクタを備え、上記第一の接触子は、上記鍵コネクタを挿入する内筒に配置される内部接触子と、上記内筒の外周に接して配置される固定接触子によって構成され、上記内筒に上記鍵コネクタを挿入することにともなって上記第二の接触子と上記内部接触子が接し、上記鍵コネクタおよび上記内筒を所定角度回転させることにともなって上記内部接触子と上記固定接触子が接するものであり、上記錠コネクタは、上記内筒に上記鍵コネクタを挿入した際に、上記ロック機構の一部であるバネ付押し金を押し上げるロック端子を備え、上記第二の接触子は、上記鍵コネクタの鍵山以外の部分に設けたことを特徴とするコネクタ装置。
【発明の詳細な説明】
【技術分野】
【０００１】
本発明は、秘密保護の目的で、セキュリティを要する設備、およびその設備にアクセスするためのケーブルの先端に取り付けられた、錠および鍵の機能を持つコネクタ装置に関する。
【背景技術】
【０００２】
図５は、従来の電気自動車充電用コネクタを示す斜視図であり、図において、５０はケーブル側のコネクタであり、６０は自動車側のコネクタである。５４はケーブル側のコネクタの自動車側のコネクタとの嵌合部で、コネクタの本体である。５３は、コネクタ本体５４を自動車側のコネクタ６０に差し込む際に使用するハンドルで、これを回転させないと差し込めないように機構ピンがついている。５１は、ハンドル５３を回転できないようにする錠で、鍵５２を錠５１に差し込み開錠した時のみ、ハンドル５３が回転できるように構成されている。
【０００３】
この従来の技術は、電気自動車のバッテリを充電する際に、充電スタンド等で外部電源からの電源を接続するケーブルに錠を付けたものである。これにより、充電中のコネクタを不正に外されたり、不正に接続されることを防止する。
自動車側コネクタ６０には、一対の接続用鍵端子が設けられているとともに、コネクタの外周面に螺旋溝が形成されている。
一方、充電器に繋げられるケーブル側のコネクタ５０には、コネクタ本体５４の内側に、一対の接続用雄端子が設けられており、自動車側の接続用端子に挿入されて電気的に接続されるようになっている。
【０００４】
また、図示されていない係合ピンがケーブル側のコネクタ５０のハンドル５３の内側に向けて突設されており、これが自動車側のコネクタ６０の螺旋溝と協同して固定機構を構成するもので、ハンドル５３が回転すると係合ピンが螺旋溝に沿って移動し、ひいてはケーブル側のコネクタ５０全体を軸方向に移動させ、ハンドル５３が一杯に回転すると、ケーブル側のコネクタ５０内の接続用雄端子が、自動車側のコネクタ６０内の雌端子と嵌合し、電気的に接続される。
ケーブル側のコネクタ５０には錠５１が内蔵されており、この錠５１が鍵５２にて解除されているときのみ、ハンドル５３が回転できるような機構が組まれている。
【０００５】
また、別の従来技術として建屋側からデッキを必要に応じて張り出す方法についても記載されているが、治療台との干渉を避けるために構造が複雑となって製作コストが高くなるため問題である。
【０００６】
【特許文献１】特開平６−３１０２０７号公報
【発明の開示】
【発明が解決しようとする課題】
【０００７】
従来のコネクタは、以上のように構成されているので、鍵がなくても、コネクタに接続することができるという問題があった。
また、コネクタへの不正接続を防止するため、別途、鍵の付いたフタを設けた場合でも、その錠とコネクタが別になっているため、錠を破壊して、コネクタに不正接続することができるなどの問題点があった。
【０００８】
この発明は上記のような課題を解決するためになされたものであり、秘密保護の観点から重要度の高い接続ポートへの不正な接続を防護するとともに正当な接続は簡便に行えるようにすることを目的としたコネクタ装置を得ることを目的とする。
【課題を解決するための手段】
【０００９】
この発明に係わるコネクタ装置は、設備に設けられ、ロック機構および第一の信号線並びに上記第一の信号線に接続するための第一の接触子を有する錠コネクタ、上記設備にアクセスするケーブルの端部に設けられ、上記ケーブルに繋がる第二の信号線および上記第二の信号線に接続するための第二の接触子を有し、上記錠コネクタに嵌合する鍵コネクタを備え、上記第一の接触子は、上記鍵コネクタを挿入する内筒に配置される内部接触子と、上記内筒の外周に接して配置される固定接触子によって構成され、上記内筒に上記鍵コネクタを挿入することにともなって上記第二の接触子と上記内部接触子が接し、上記鍵コネクタおよび上記内筒を所定角度回転させることにともなって上記内部接触子と上記固定接触子が接するものであり、上記錠コネクタは、上記内筒に上記鍵コネクタを挿入した際に、上記ロック機構の一部であるバネ付押し金を押し上げるロック端子を備え、上記第二の接触子は、上記鍵コネクタの鍵山以外の部分に設けたものである。
【発明の効果】
【００１０】
この発明のコネクタ装置によれば、設備に設けられ、ロック機構および第一の信号線並びに上記第一の信号線に接続するための第一の接触子を有する錠コネクタ、上記設備にアクセスするケーブルの端部に設けられ、上記ケーブルに繋がる第二の信号線および上記第二の信号線に接続するための第二の接触子を有し、上記錠コネクタに嵌合する鍵コネクタを備え、上記第一の接触子は、上記鍵コネクタを挿入する内筒に配置される内部接触子と、上記内筒の外周に接して配置される固定接触子によって構成され、上記内筒に上記鍵コネクタを挿入することにともなって上記第二の接触子と上記内部接触子が接し、上記鍵コネクタおよび上記内筒を所定角度回転させることにともなって上記内部接触子と上記固定接触子が接するものであり、上記錠コネクタは、上記内筒に上記鍵コネクタを挿入した際に、上記ロック機構の一部であるバネ付押し金を押し上げるロック端子を備え、上記第二の接触子は、上記鍵コネクタの鍵山以外の部分に設けたため、鍵コネクタとロック端子とが接する箇所以外の鍵コネクタの表面において、内部接触子との接触が可能となり、マグネット錠など、錠内のロック機構が錠と接触しないタイプの錠に適用できると共に、錠の磨耗し易い箇所に接触子を置かずにすむため、長寿命化が図られる。
【発明を実施するための最良の形態】
【００１１】
実施の形態１．
まず、この発明に関係する参考例について図１および図２を用いて説明する。
図１はこの発明の参考例であるコネクタ装置の断面図で、錠コネクタに鍵コネクタが嵌合した状態を示している。図２は、鍵コネクタの斜視図である。図において、符号１０は、セキュリティの必要となる設備に設けられ、ロック機構を有する錠コネクタ、３０は、設備にアクセスするためのケーブル３１の先端に設けられ、錠コネクタ１０に嵌合する鍵コネクタ、１１は錠コネクタ１０に設けられた信号線（第一の信号線に相当する。）、３０ａは、鍵コネクタ３０に設けられた信号線（第二の信号線に相当する。）であり、ケーブル３１に繋がっている。
【００１２】
１４は、鍵コネクタ３０を挿入する錠コネクタ１０の内筒、３２は、鍵コネクタ３０の鍵山部分に設けられ、信号線３０ａに繋がる鍵の接触子（第二の接触子に相当する。）、１３は、鍵の接触子３２が内筒１４内で接触するロック機構の一部である内部接触子、１５は、内筒１４の外周に接して配置され、内部接触子１３に接する、ロック機構の一部であるバネ付押し金、１２は内筒１４の外周に接して配置され、ロック機構を開錠し、鍵コネクタ３０および内筒１４を所定角度（例えば１８０度）回転させることで、この回転にともなって回転する内部接触子１３と接する固定接触子であり、この固定接触子１２は信号線１１に繋がっている。なお、固定接触子１２と内部接触子１３とで、第一の接触子が構成される。
【００１３】
この錠コネクタ１０のロック機構は、協動する内部接触子１３とバネ付押し金１５より構成され、鍵コネクタ３０が内筒１４から抜かれている時には、押し金部分が内筒１４内部までせり出し、内筒１４が回転できず（施錠状態）、正しい鍵コネクタ３０が差し込まれた際には、鍵山の凹凸に従い、バネ付押し金１５が内筒１４から押し出され、内筒１４が回転可能（開錠状態）となるように構成されている。
【００１４】
ここで、内部接触子１３は、二つの信号線１１、３０ａを接続する役割を果たすだけでなく、ロック機構の開錠の際に、バネ付押し金１５を押し上げるロック端子の役割も兼ねている。
コネクタ装置（錠コネクタ１０と鍵コネクタ３０）が上記のように構成されるため、錠コネクタ１０の内筒１４に鍵コネクタ３０を挿入することにともなって、鍵の接触子３２と内部接触子１３が接し、鍵コネクタ３０および内筒１４を１８０度回転させることにともなって、内部接触子１３と固定接触子１２が接し、錠コネクタ１０側の信号線１１と、鍵コネクタ３０側の信号線３０ａが接続され、設備へのケーブル３１からのアクセスが可能となる。
【００１５】
ここでは、秘密保護の上で重要な固定接触子１２を錠コネクタ１０の内部に納めていることで、正当な鍵コネクタ３０を差し込み、内筒１４を１８０度回転させないと外部から接続できない構造としている。（本例では、内筒１４を１８０度回転させた位置に固定接触子１２を設置しているが、この角度は必ずしも１８０度に制限されるものではない。）従って、セキュリティが必要となる設備への不正な接続を防護でき、正当な鍵コネクタ３０による接続は簡便に行うことが可能となる。
【００１６】
なお、セキュリティの必要な設備の例としては、不正な入室を除外するためのゲートチェッカー、コンピュータネットワークへの侵入を阻止するファイアーウォール、侵入監視装置、暗号装置などが挙げられ、これらの装置のインストール時などに必要なパラメータを外部の装置から設定等する時などに利用することが考えられる。
【００１７】
次に、この発明の実施の形態１について図３および図４を用いて説明する。上述の参考例では、鍵コネクタ３０の鍵の接触子３２を鍵山の凹凸部に設けた例を示したが、図３に鍵コネクタ３０の全体図を示すように、鍵の接触子３２ａ（第二の接触子に相当する。）を鍵山以外の部分の凹凸の無い個所に設けてもよい。
また、上述の参考例では、内部接触子１３は信号線１１の伝送路と、機構的なロック機構のロック端子とを兼ねていたが、この実施の形態１では、図４に、内筒１４の外観図を示すように、参考例１での内部接触子１３は機構的なロック機構の役割のみを果たすロック端子１３ａに相当し、これと別に内部接触子２０を内筒１４内に設けておく。内部接触子２０は、鍵コネクタ３０を鍵穴１４ａから内筒１４に挿入した際に、鍵の接触子３２ａと接するように配置される。
【００１８】
例えば、内部接触子２０を１８０度回転させた位置に固定接触子１２を設けた場合、鍵コネクタ３０を鍵穴１４ａに差し込み、内筒１４を１８０度回転させることにともなって、固定接触子１２と内部接触子２０を接触させることができる。
このように、内部接触子２０をロック端子１３ａとは別に設けても、不正な接続を防護でき、正当な接続は簡便に行うことができる。
【００１９】
また、鍵コネクタ３０とロック端子１３ａとが接する鍵山部分以外の鍵コネクタ３０の表面において、内部接触子２０との接触を図れば良いため、接触の裕度が増大する。さらに、鍵の接触子３２ａのように、鍵コネクタ３０の、鍵山以外の部分の凹凸の無い箇所に接触子を設ける場合、鍵山部分に接触子を設ける場合よりも多数の接触子を、また一つの一つの接触子がより大きなものを配置できるという利点がある。
【図面の簡単な説明】
【００２０】
【図１】この発明の参考例１におけるコネクタ装置の断面図である。
【図２】この発明の参考例１における鍵コネクタの斜視図である。
【図３】この発明の実施の形態１における鍵コネクタの全体図である。
【図４】この発明の実施の形態１における錠コネクタの内筒の外観図である。
【図５】従来の電気自動車充電用コネクタの斜視図である。
【符号の説明】
【００２１】
１０  鍵コネクタ                    １１、３０ａ  信号線
１２  固定接触子                    １３、２０  内部接触子
１３ａ  ロック端子                  １４  内筒
１４ａ  鍵穴                        １５  バネ付押し金
３０  鍵コネクタ                    ３１  ケーブル
３２、３２ａ  鍵の接触子。
【図１】
0004398449.tif 000002
【図２】
0004398449.tif 000003
【図３】
0004398449.tif 000004
【図４】
0004398449.tif 000005
【図５】
0004398449.tif 000006